(57)【要約】【課題】メンテナンスの作業性を向上させることが可能な空気調和機を提供する。【解決手段】熱交換器１０と、熱交換器１０で発生したドレン水を受けるドレンパン３０と、熱交換器１０およびドレンパン３０を収容する筺体４０と、を備え、熱交換器１０は、筺体４０内において傾斜して配置され、筺体４０の側板４１ｃ，４１ｄには熱交換器１０の傾斜面１０ａより下方に開口部４１ｃ１，４１ｄ１が形成されている。【選択図】図２
2017141967.tif 000002
【特許請求の範囲】
【請求項１】
熱交換器と、
前記熱交換器で発生したドレン水を受けるドレンパンと、
前記熱交換器および前記ドレンパンを収容する筺体と、を備え、
前記筺体の側面には、前記ドレンパンと連通する開口部が形成されていることを特徴とする空気調和機。
【請求項２】
熱交換器と、
前記熱交換器で発生したドレン水を受けるドレンパンと、
前記熱交換器および前記ドレンパンを収容する筺体と、を備え、
前記熱交換器は、前記筺体内において傾斜して配置され、
前記筺体の側面には、前記熱交換器の傾斜面より下方に開口部が形成されていることを特徴とする空気調和機。
【請求項３】
前記開口部は、前記熱交換器の傾斜に沿って形成されていることを特徴とする請求項２に記載の空気調和機。
【請求項４】
前記熱交換器と接続される冷媒配管を備え、
前記冷媒配管の接続部は、前記筺体の側面に配置され、
前記開口部は、側面視において前記接続部と重ならない位置に形成されていることを特徴とする請求項１から請求項３のいずれか１項に記載の空気調和機。
【請求項５】
前記開口部を塞ぐカバーを備え、
前記カバーは、前記筺体の外郭として構成されていることを特徴とする請求項１から請求項４のいずれか１項に記載の空気調和機。
【請求項６】
前記開口部は、対向する前記筺体の側面の双方に形成されていることを特徴とする請求項１から請求項５のいずれか１項に記載の空気調和機。
【発明の詳細な説明】
【技術分野】
【０００１】
本発明は、天井埋込型の空気調和機に関する。
【背景技術】
【０００２】
天井埋込型の空気調和機（室内機）では、製品の保守、点検、清掃等のメンテナンス作業性の容易さが求められる。空気調和機の筺体内部にはドレンパンが配置され、ドレンパンの下面に設けられた下面板を筺体から取り外すことで、ドレンパンのメンテナンス作業を行うようになっている。
【０００３】
特許文献１の空気調和機では、ドレンパンの保守、点検、清掃等のメンテナンス作業を行う際には、筐体からドレンパン下部に配置される下面板を取り外し、ドレンパンに把持手段を備えることで作業性の向上を図っている。
【先行技術文献】
【特許文献】
【０００４】
【特許文献１】特開２００６−３４３０４３号公報
【発明の概要】
【発明が解決しようとする課題】
【０００５】
しかしながら、特許文献１の空気調和機では、ドレンパンの保守、点検、清掃等のメンテナンス作業を行う際、ドレンパンを取り外す必要があり、さらにドレンパンを取り外す前に下面板も取り外さなければならず、メンテナンス作業が煩雑であった。
【０００６】
本発明は、前記した従来の課題を解決するものであり、メンテナンスの作業性を向上させることが可能な空気調和機を提供することを目的とする。
【課題を解決するための手段】
【０００７】
本発明は、熱交換器と、前記熱交換器で発生したドレン水を受けるドレンパンと、前記熱交換器および前記ドレンパンを収容する筺体と、を備え、前記筺体の側面には、前記ドレンパンと連通する開口部が形成されていることを特徴とする。
【０００８】
また本発明は、熱交換器と、前記熱交換器で発生したドレン水を受けるドレンパンと、前記熱交換器および前記ドレンパンを収容する筺体と、を備え、前記筺体の側面には、前記熱交換器の傾斜面より下方に開口部が形成されていることを特徴とする。
【発明の効果】
【０００９】
本発明によれば、メンテナンスの作業性を向上させることが可能な空気調和機を提供できる。
【図面の簡単な説明】
【００１０】
【図１】第１実施形態に係る空気調和機の使用状態を示す断面図である。
【図２】第１実施形態に係る空気調和機の外観を示す斜視図である。
【図３】第１実施形態に係る空気調和機の側面図である。
【図４】第１実施形態に係る空気調和機の内部を示す断面図である。
【図５】第２実施形態に係る空気調和機の側面図である。
【図６】第２実施形態に係る空気調和機の内部を示す断面図である。
【図７】第３実施形態に係る空気調和機の側面図である。
【図８】第３実施形態に係る空気調和機の内部を示す断面図である。
【図９】第４実施形態に係る空気調和機の側面図である。
【図１０】第４実施形態に係る空気調和機の内部を示す断面図である。
【発明を実施するための形態】
【００１１】
以下、本発明の実施形態に係る空気調和機１，１Ａ，１Ｂ，１Ｃについて図面を参照して説明する。なお、以下では、方向を分かり易くため、上下、左右、前後を図示して説明する。
（第１実施形態）
図１は、第１実施形態に係る空気調和機の使用形態を示す断面図である。なお、図１における白抜き矢印は、空気の流れを示している。また、図１に示す使用形態は、一例であって、本実施形態に限定されるものではない。
図１に示すように、空気調和機１は、室内の天井ボード２内に埋め込まれて使用される天井埋込型の室内機であり、熱交換器１０と、送風ファン２０と、ドレンパン３０と、熱交換器１０、送風ファン２０およびドレンパン３０を収容する筺体４０とを主に備えて構成されている。
【００１２】
また、空気調和機１は、コンクリート製の天井躯体（不図示）に吊りボルト３を介して吊り下げられている。また、空気調和機１には、空気を取り込むダクト４の一端と、熱交換した空気を室内に送り込むダクト５の一端とが接続されている。ダクト４の他端は、天井ボード２に形成された吸込口２ａに接続されている。吸込口２ａには、空気清浄用のフィルタ６が設けられている。ダクト５の他端は、天井ボード２に形成された吹出口２ｂに接続されている。
【００１３】
このような天井埋込型の空気調和機１においては、保守、点検、清掃等のメンテナンス用の点検口７が天井ボード２に設けられている。点検口７は、作業員が潜り込むことができる大きさのものであり、点検口７には開閉式の扉８が取り付けられている。作業員は脚立などを使用して点検口７から天井ボード２の裏側に潜り込むことによって、空気調和機１のメンテナンスを行うことができる。
【００１４】
熱交換器１０は、例えば、クロスフィンチューブ型の熱交換器であり、アルミニウムまたはアルミニウム合金製のフィンを厚み方向に複数枚並べてなるフィンプレート１１と、フィンプレート１１を貫通して配置される銅製または銅合金製の冷媒配管５０と、を備えて構成されている。また、熱交換器１０は、側面視において長方形状を呈している。
【００１５】
送風ファン２０は、熱交換器１０のフィンプレート１１間に空気を通流させるものであり、例えばシロッコファンによって構成されている。また、送風ファン２０は、熱交換器１０に空気を吹き付ける向きとなるようにして筺体４０内に配置されている。冷房運転時、熱交換器１０を通る空気が冷却されることによって空気中から水滴が分離し、この水滴がドレン水として熱交換器１０から滴下する。
【００１６】
ドレンパン３０は、例えば合成樹脂製で熱交換器１０から発生したドレン水（凝縮水）を受ける皿形状のものであり、熱交換器１０の下方に配置されている。
【００１７】
図２は、第１実施形態に係る空気調和機の外観を示す斜視図である。なお、図２は、ダクト４，５（図１参照）を取り外し、ダクト５が取り付けられる側から見た状態を示している。
図２に示すように、筺体４０は、板金を曲げ形成することで四角箱型にしたものであり、四隅が吊りボルト３，３，３，３によって支持されている。また、筺体４０は、上板４１ａ、底板４１ｂ（図１参照）、左右の側板４１ｃ，４１ｄ、空気吐出側の前板４１ｅ、空気吸込側の背板４１ｆ（図１参照）を備えて構成されている。
【００１８】
側板４１ｃ，４１ｄには、開口部４１ｃ１，４１ｄ１が筺体４０を貫通するようにして形成されている。この開口部４１ｃ１，４１ｄ１を通して、側板４１ｃ，４１ｄ側からドレンパン３０に形成されたドレン水を受ける受け皿３１ａと連通している。また、作業員が開口部４１ｃ１，４１ｄ１を通してドレンパン３０の保守、点検、清掃等のメンテナンスを行うことができる開口面積を有している。
【００１９】
また、側板４１ｃには、開口部４１ｃ１を塞ぐカバー４２がねじ（不図示）を介して着脱可能に取り付けられている。また、側板４１ｄには、開口部４１ｄ１を塞ぐカバー４３がねじ（不図示）を介して着脱可能に取り付けられている。カバー４２，４３は、筺体４０と同様な板金によって、開口部４１ｃ１，４１ｄ１の全体を塞ぐことができるように、開口部４１ｃ１，４１ｄ１の開口面積よりも大きく形成されている。
【００２０】
なお、カバー４２，４３の側板４１ｃ，４１ｄへの取付方法は、ねじ固定に限定されるものではなく、着脱可能であれば、フックなどを利用して取り付けてもよく、またカバー４２，４３を側板４１ｃ，４１ｄの面に沿ってスライドさせることで取り付けようにしてもよく、またこれらを組み合わせて取り付けるようにしてもよい。
【００２１】
また、空気調和機１は、側板４１ｃから外側に向けて、熱交換器１０と接続される冷媒配管５０が突出するようにして構成されている。側板４１ｃから突出している２本の配管が接続部５０ａ，５０ｂとして構成されている。接続部５０ａ，５０ｂは、一方が冷媒の入口で、他方が冷媒の出口であり、図示しない冷媒配管を介して室外機（不図示）と接続されている。なお、室外機には、圧縮機、熱交換器、減圧装置などが設けられ、空気調和機１（室内機）と室外機とで冷凍サイクルを構成している。
【００２２】
ドレンパン３０の受け皿３１ａは、矢印Ａ方向に向けて下るようにして傾斜し、かつ、矢印Ｂ方向に向けて下るようにして傾斜し、熱交換器１０から滴下したドレン水が、右端奥側に集まるようになっている。
【００２３】
また、ドレンパン３０には受け皿３１ａに溜まった水（ドレン水）を抜くための水抜管５１が接続され、水抜管５１が側板４１ｃから突出している。水抜管５１は、図示しない排出管を介して屋外に排出されるようになっている。
【００２４】
また、空気調和機１は、ドレンパン３０の受け皿３１ａに溜まったドレン水を吸い上げて機外に排出するポンプ５２（図３参照）を備えている。ポンプ５２には、ドレン排出管５３が接続され、ドレン排出管５３が側板４１ｃから突出している。
【００２５】
図３は、第１実施形態に係る空気調和機の側面図である。
図３に示すように、熱交換器１０は、その上部（側面視において長手方向の一端側）が空気の流れ方向の下流側に向き、下部（側面視において長手方向の他端側）が空気の流れ方向の上流側に向くように傾斜して配置されている。また、熱交換器１０の下方にドレンパン３０が配置されている。
【００２６】
開口部４１ｃ１は、傾斜した熱交換器１０より下方に位置している。換言すると、開口部４１ｃ１は、側面視において、熱交換器１０とドレンパン３０との間の領域に位置するように形成されている。また、開口部４１ｃ１は、熱交換器１０の傾斜に沿って形成されるとともに、側面視において略台形状を呈するように形成されている。このように開口部４１ｃ１を台形状にすることで、開口部４１ｃ１の開口面積を広げることができ、メンテナンス性を向上させることができる。
【００２７】
ポンプ５２は、熱交換器１０を挟んで開口部４１ｃ１とは反対側に配置されている。なお、ポンプ５２は、フロート式のスイッチ（不図示）を備え、ドレンパン３０の受け皿３１ａの水位が所定水位を超えたときにポンプ５２が作動するように構成されている。
【００２８】
図４は、第１実施形態に係る空気調和機の内部を示す断面図である。
図４に示すように、開口部４１ｄ１は、開口部４１ｃ１と対向する位置に形成されるとともに、開口部４１ｃ１と同一形状となるように構成されている。すなわち、開口部４１ｄ１は、傾斜した熱交換器１０より下方に位置している。換言すると、開口部４１ｄ１は、側面視において、熱交換器１０とドレンパン３０との間の領域に位置するように配置されている。また、開口部４１ｄ１は、熱交換器１０の傾斜に沿って形成されるとともに、側面視において略台形状を呈するように形成されている。
【００２９】
このように構成された熱交換器１では、送風ファン２０によって吸込口４１ｆ１から吸い込まれた空気は、熱交換器１０に向けて吐出され、熱交換器１０において冷媒配管５０内を通る冷媒と熱交換が行われる。なお、送風ファン２０から吐出された空気は、すべてが熱交換器１０を通るように、熱交換器１０と筺体４０との間の隙間は樹脂などによって埋められている。熱交換器１０で発生したドレン水（凝縮水）は、ドレンパン３０上に滴下し、ドレンパン３０の傾斜に沿って、水抜管５１およびポンプ５２が設けられている位置に集められる。
【００３０】
このように空気調和機１の運転を継続することにより、ドレンパン３０がドレン水などで汚れるため、ドレンパン３０の保守、点検、清掃等のメンテナンス作業が必要となる。そこで、本実施形態では、側板４１ｃ，４１ｄに開口部４１ｃ１，４１ｄ１を形成することで、作業員が開口部４１ｃ１，４１ｄ１を通して、ドレンパン３０の保守、点検、清掃等のメンテナンス作業を行うことができるようになっている。
【００３１】
以上説明したように第１実施形態の空気調和機１は、熱交換器１０と、熱交換器１０で発生したドレン水を受けるドレンパン３０と、熱交換器１０およびドレンパン３０を収容する筺体４０と、を備え、筺体４０の側板４１ｃ，４１ｄには、熱交換器１０の傾斜面１０ａより下方に開口部４１ｃ１，４１ｄ１が形成されている（図２ないし図４参照）。これによれば、従来のようにドレンパンの下にある下面板を取り外すことなく、開口部４１ｃ１，４１ｄ１を通してドレンパン３０の保守、点検、清掃等のメンテナンス作業が可能となり、作業性を向上させた空気調和機１を実現できる。
【００３２】
ところで、製品（空気調和機１）を据え付ける場合、製品と天井（天井ボード２）との距離Ｌ（図１参照）は様々であり、製品が天井と接した状態で据え付けられるものもある。そういった場合、従来のように下面板を取り外してドレンパンをメンテナンスするときにはメンテナンス作業が煩雑になる。これに対して、第１実施形態では、筺体の側板４１ｃ，４１ｄにメンテナンス用の開口部４１ｃ１，４１ｄ１が形成されているので、製品と天井（天井ボード２）との距離Ｌにとらわれることなく、メンテナンス作業を行うことが可能になる。
【００３３】
また、第１実施形態では、開口部４１ｃ１，４１ｄ１が熱交換器１０の傾斜に沿って形成されている（図２ないし図４参照）。これによれば、作業員が熱交換器１０に触れることなく、ドレンパン３０の保守、点検、清掃等のメンテナンス作業が可能になる。
【００３４】
また、第１実施形態では、熱交換器１０と接続される冷媒配管５０を備え、冷媒配管５０の接続部５０ａ，５０ｂが筺体４０の側板４１ｃ，４１ｄ（側面）に配置され、開口部４１ｃ１，４１ｄ１が側面視において接続部５０ａ，５０ｂと重ならない位置に形成されている（図３参照）。ところで、接続部５０ａ，５０ｂが開口部４１ｃ１，４１ｄ１と重なると、開口部４１ｃ１，４１ｄ１を側面から見たときに、開口部４１ｃ１，４１ｄ１から冷媒配管５０が見えることになるので、メンテナンス作業の邪魔になる。しかし、第１実施形態では、開口部４１ｃ１，４１ｄ１が側面視において接続部５０ａ，５０ｂと重ならない位置に設けられているので、開口部４１ｃ１，４１ｄ１から冷媒配管５０が見えなくなる。よって、冷媒配管５０によってメンテナンス作業が邪魔されることがなくなり、ドレンパン３０の保守、点検、清掃等のメンテナンスの作業性を向上できる。
【００３５】
また、第１実施形態では、開口部４１ｃ１，４１ｄ１を塞ぐカバー４２，４３を備え、カバー４２，４３が筺体４０の外郭（外壁面の一部）として構成されている（図２ないし図４参照）。これによれば、例えば、ドレンパン３０が空気の流れの二次側に配置されている場合、開口部４１ｃ１，４１ｄ１を通して熱交換器で熱交換された空気が漏れ出るのを防止することができる。また、側板４１ｃ，４１ｄの壁面が二重構造になることがないので、材料費を抑制することも可能になる。
【００３６】
また、第１実施形態では、開口部４１ｃ１，４１ｄ１が側板４１ｃ，４１ｄ（側面）の両側に形成されている（図２参照）。これによれば、空気調和機１が業務用などの大型のものである場合、両側の開口部４１ｃ１，４１ｄ１からドレンパン３０にアクセスすることができるようになるため、ドレンパン３０の保守、点検、清掃等のメンテナンスの作業性を向上させることができる。
【００３７】
また、第１実施形態では、ドレンパン３０の保守、点検、清掃等のメンテナンスだけではなく、熱交換器１０の保守、点検、清掃等のメンテナンスを行うことができる。また、熱交換器１０の吹き出し側に設けられたサーミスタの交換なども開口部４１ｃ１（４１ｄ１）を介して行うことができる。
【００３８】
（第２実施形態）
図５は、第２実施形態に係る空気調和機の側面図、図６は、第２実施形態に係る空気調和機の内部を示す断面図である。なお、図６において、白抜き矢印は、空気の流れる方向を示している。また、第１実施形態と同様の構成については、同一の符号を付して重複した説明を省略する（第３実施形態および第４実施形態についても同様）。
【００３９】
図５及び図６に示す空気調和機１Ａは、熱交換器１０に替えて熱交換器１０Ａとしたものである。すなわち、熱交換器１０Ａは、その上部１０ｂ（側面視において長手方向の一端側）が空気の流れ方向（図６参照）の上流側に向き、熱交換器１０Ａの下部１０ｃ（側面視において長手方向の他端側）が空気の流れ方向の下流側に向くように傾斜している。換言すると、熱交換器１０Ａは、一次側（空気の入口側、上流側）の面が下方を向くように傾斜している。
【００４０】
また、筺体４０の側板４１ｃ，４１ｄ（側面）には、熱交換器１０Ａの傾斜面１０ａより下方に開口部４１ｃ２，４１ｄ２が形成されている。これにより、開口部４１ｃ２，４１ｄ２は、ドレンパン３０のドレン水を受ける受け皿３１ａと連通している。また、開口部４１ｃ２，４１ｄ２は、熱交換器１０Ａの傾斜に沿って形成されている。
【００４１】
第２実施形態は、熱交換器１０Ａと、熱交換器１０Ａで発生したドレン水を受けるドレンパン３０と、熱交換器１０Ａおよびドレンパン３０を収容する筺体４０と、を備え、筺体４０の側板４１ｃ，４１ｄには、熱交換器１０Ａの傾斜面１０ａより下方に開口部４１ｃ２，４１ｄ２が形成されている。これによれば、従来のようにドレンパンの下にある下面板を取り外すことなく、開口部４１ｃ２，４１ｄ２を通してドレンパン３０の保守、点検、清掃等のメンテナンス作業が可能となり、作業性を向上させた空気調和機１Ａを実現できる。
【００４２】
また、第２実施形態では、筺体の側板４１ｃ，４１ｄにメンテナンス用の開口部４１ｃ２，４１ｄ２が形成されているので、製品と天井（天井ボード２）との距離Ｌにとらわれることなく、メンテナンス作業を行うことができる。
【００４３】
また、第２実施形態では、開口部４１ｃ２，４１ｄ２が熱交換器１０Ａの傾斜に沿って形成されているので、熱交換器１０Ａに触れることなく、ドレンパン３０の保守、点検、清掃等のメンテナンス作業が可能になる。
【００４４】
また、第２実施形態では、熱交換器１０Ａと接続される冷媒配管５０を備え、冷媒配管５０の接続部５０ｃ，５０ｄが筺体４０の側板４１ｃ（側面）に配置され、開口部４１ｃ２が側面視において接続部５０ａ，５０ｂと重ならない位置に形成されている。これによれば、開口部４１ｃ２から冷媒配管５０が見えなくなる。よって、冷媒配管５０によってメンテナンス作業が邪魔されることがなくなり、ドレンパン３０の保守、点検、清掃等のメンテナンスの作業性を向上できる。
【００４５】
また、第２実施形態では、開口部４１ｃ２，４１ｄ２を塞ぐカバー４２Ａ，４３Ａを備え、カバー４２Ａ，４３Ａが筺体４０の外郭（外壁面の一部）として構成されている。これによれば、開口部４１ｃ２，４１ｄ２を通して熱交換器１０Ａで熱交換された空気が漏れ出るのを防止することができ、また側板４１ｃ，４１ｄの壁面が二重構造になることがないので、材料費を抑制することも可能になる。
【００４６】
また、第２実施形態では、開口部４１ｃ２，４１ｄ２が側板４１ｃ，４１ｄ（側面）の両側に形成されているので、両側の開口部４１ｃ２，４１ｄ２からドレンパン３０にアクセスすることができるようになるため、ドレンパン３０の保守、点検、清掃等のメンテナンスの作業性を向上させることができる。
【００４７】
（第３実施形態）
図７は、第３実施形態に係る空気調和機の側面図、図８は、第３実施形態に係る空気調和機の内部を示す断面図である。
図７及び図８に示す空気調和機１Ｂは、熱交換器１０，１０Ａに替えて熱交換器１０Ｂとしたものである。すなわち、熱交換器１０Ｂは、第１実施形態や第２実施形態のように傾斜して配置せず、側面視において長手方向の一端側が上方に向いて他端側が下方に向くようにして上下方向に立てた状態で配置されている。また、熱交換器１０Ｂは、吹出口４１ｅ１の近傍に配置されているが、この位置に限定されるものではなく、送風ファン２０側に近い位置であってもよい。
【００４８】
また、筺体４０の側板４１ｃ，４１ｄ（側面）には、熱交換器１０Ｂと送風ファン２０との間に開口部４１ｃ３，４１ｄ３が形成されている。開口部４１ｃ３，４１ｄ３は、矩形状を呈し、ドレンパン３０のドレン水を受ける受け皿３１ａと連通している。
【００４９】
第２実施形態は、熱交換器１０Ｂと、熱交換器１０Ｂで発生したドレン水を受けるドレンパン３０と、熱交換器１０Ｂおよびドレンパン３０を収容する筺体４０と、を備え、筺体４０の側板４１ｃ，４１ｄには、ドレンパン３０と連通する開口部４１ｃ３，４１ｄ３が形成されている。これによれば、従来のようにドレンパンの下にある下面板を取り外すことなく、開口部４１ｃ３，４１ｄ３を通してドレンパン３０の保守、点検、清掃等のメンテナンス作業が可能となり、作業性を向上させた空気調和機１Ｂを実現できる。
【００５０】
また、第３実施形態では、筺体の側板４１ｃ，４１ｄにメンテナンス用の開口部４１ｃ３，４１ｄ３が形成されているので、製品と天井（天井ボード２）との距離Ｌにとらわれることなく、メンテナンス作業を行うことができる。
【００５１】
また、第３実施形態では、熱交換器１０Ｂと接続される冷媒配管５０を備え、冷媒配管５０の接続部５０ｅ，５０ｆが筺体４０の側板４１ｃ（側面）に配置され、開口部４１ｃ３が側面視において接続部５０ｅ，５０ｆと重ならない位置に形成されている。これによれば、冷媒配管５０によってメンテナンス作業が邪魔されることを抑制でき、ドレンパン３０の保守、点検、清掃等のメンテナンスの作業性を向上できる。
【００５２】
また、第３実施形態では、開口部４１ｃ３，４１ｄ３を塞ぐカバー４２Ｂ，４３Ｂを備え、カバー４２Ｂ，４３Ｂが筺体４０の外郭（外壁面の一部）として構成されている。これによれば、開口部４１ｃ３，４１ｄ３を通して熱交換器１０Ｂで熱交換された空気が漏れ出るのを防止することができ、また側板４１ｃ，４１ｄの壁面が二重構造になることがないので、材料費を抑制することも可能になる。
【００５３】
また、第３実施形態では、開口部４１ｃ３，４１ｄ３が側板４１ｃ，４１ｄ（側面）の両側に形成されているので、両側の開口部４１ｃ３，４１ｄ３からドレンパン３０にアクセスすることができるようになるため、ドレンパン３０の保守、点検、清掃等のメンテナンスの作業性を向上させることができる。
【００５４】
（第４実施形態）
図９は、第４実施形態に係る空気調和機の側面図、図１０は、第４実施形態に係る空気調和機の内部を示す断面図である。
図９及び図１０に示す空気調和機１Ｃは、第１実施形態の送風ファン２０に替えて送風ファン２０Ｃを備えたものである。すなわち、送風ファン２０Ｃは、第１実施形態の送風ファン２０のように熱交換器１０の側に向けて空気を押し出すものではなく、熱交換器１０の側から空気を吸い込むものである。換言すると、第４実施形態では、熱交換器１０の傾斜面１０ａの下方が一次側（空気の流れの上流側）になり、上方が二次側（空気の流れの下流側）になる。第４実施形態によれば、第１実施形態と同様な効果を得ることができる。
【００５５】
なお、本発明は、前記した実施形態に限定されるものではなく、本発明の要旨を超えない範囲において種々変更することができる。例えば、第１実施形態ないし第４実施形態では、送風ファン２０，２０Ｃを筺体４０内に備えた空気調和機１，１Ａ，１Ｂ，１Ｃを例に挙げて説明したが、送風ファン２０を筺体４０内に設けずに、ダクトを介して別の場所から空気を送り込みまたは吸い込む構成にしてもよい。
【符号の説明】
【００５６】
１，１Ａ，１Ｂ，１Ｃ  空気調和機
１０，１０Ａ，１０Ｂ  熱交換器
１０ａ  傾斜面
２０，２０Ｃ  送風ファン
３０    ドレンパン
４０    筺体
４１ｃ，４１ｄ  側板
４１ｃ１，４１ｄ１  開口部
４２，４２Ａ，４２Ｂ，４３，４３Ａ，４３Ｂ  カバー
５０    冷媒配管
５０ａ，５０ｂ，５０ｃ，５０ｄ，５０ｅ，５０ｆ  接続部
【図１】
2017141967.tif 000003
【図２】
2017141967.tif 000004
【図３】
2017141967.tif 000005
【図４】
2017141967.tif 000006
【図５】
2017141967.tif 000007
【図６】
2017141967.tif 000008
【図７】
2017141967.tif 000009
【図８】
2017141967.tif 000010
【図９】
2017141967.tif 000011
【図１０】
2017141967.tif 000012